(57)【特許請求の範囲】
【請求項１】
略方形の合成樹脂製の座板と該座板の上面で成形硬化され同上面に層着された表面材を有し、該座板の下面から多数の支持脚を突設した床材を用い、多数の床材を支持脚を以って床下地面に互いに隣接し置き敷きして形成される床構造において、上記隣接する一方の床材の座板辺縁部下面に配置された第一支持脚に第一連結リングが外嵌めされ、同様に他方の床材の座板辺縁部下面に配置された第二支持脚に第二連結リングが外嵌めされ、上記第一連結リングと第二連結リングが互いに連結された構造を有すると共に、上記第一、第二支持脚の下端部外面に係止爪を突設し、上記第一、第二連結リングの上端部内面に被係止爪を突設し、該係止爪と被係止爪とが上下方向の遊びを存して係合可能に配置された構造を有することを特徴とする床材相互の連結構造。
【請求項２】
上記第一支持脚に上下方向の遊びと横方向の遊びを存して第一連結リングが外嵌めされ、上記第二支持脚に上下方向の遊びと横方向の遊びを存して第二連結リングが外嵌めされることを特徴とする請求項１記載の床材相互の連結構造。
【請求項３】
上記座板の辺縁部に外側方へ向け間隔を置いて突出した複数の連結片を設け、上記隣接する一方の床材の座板連結片下面に配置された第一支持脚に第一連結リングが外嵌めされ、同様に他方の床材の座板連結片下面に配置された第二支持脚に第二連結リングが外嵌めされた構造を有することを特徴とする請求項１又は２記載の床材相互の連結構造。
【請求項４】
上記隣接する一方の床材の座板辺縁部下面に隔置された一対の第一支持脚の個々に一対の第一連結リングが夫々外嵌めされ、同様に他方の床材の座板辺縁部下面に隔置された一対の第二支持脚の個々に一対の第二連結リングが夫々外嵌めされ、上記第一連結リング対の外側リング部分が第一アームで連結され、上記第二連結リング対の外側リング部分が第二アームで連結され、更に上記第一連結リング対を連結する第一アーム一端の連結リングと上記第二連結リング対を連結する第二アーム一端の連結リングとが内側リング部分で結合され、上記第一連結リング対を連結する第一アーム他端の連結リングと上記第二連結リング対を連結する第二アーム他端の連結リングとが内側リング部分で結合された構造を有することを特徴とする請求項１又は２又は３記載の床材相互の連結構造。
【発明の詳細な説明】
【技術分野】
【０００１】
本発明は略方形の合成樹脂製の座板と、該座板の上面において成形硬化され同上面に層着された表面材とから成る床材に係わり、殊に多数の床材を隣接しつつ置き敷きし床構造を形成する場合における、床材相互の連結構造に関する。
【０００２】
上記床材は座板を以ってベランダ、バルコニー、屋上、室内床、室外床等の床下地面に多数置き敷きして広面積の床を構成するのに用いられ、隣接する床材相互は連結手段により互いに連結し、床構造を構成している。
【背景技術】
【０００３】
特許文献１，２は、方形の合成樹脂製座板の上面にタイルから成る表面材を多数層着し床材を構成している。又特許文献２の表面材は、座板の上面においてセメント混練材を成形硬化して形成している。
【０００４】
又上記床材相互の連結手段として、特許文献１，２は隣接する一方の床材の座板辺縁部から外側方へ突出する連結片を設け、隣接する他方の床材の座板辺縁部から下方へ突出する係合突起を設け、上記連結片の上面に隣接する他方の床材の座板辺縁部を載置すると共に、該辺縁部に設けた上記係合用突起を上記連結片の上面と下面間において貫通せる係合孔に係入し床材相互を連結するようにした連結構造を採っている。
【０００５】
又特許文献３は上記床材の四辺に連結リングを設け、隣接する床材の連結リング相互を結縛等し連結する連結構造を採っている。
【０００６】
【特許文献１】特開平１１−２２１５９号公報
【特許文献２】特開平１１−３００２４号公報
【特許文献３】特許第３７４６０５１号公報
【発明の開示】
【発明が解決しようとする課題】
【０００７】
上記特許文献１乃至３に代表される床材は、上記床下地面に多数平面的に敷き詰め、即ち隣接して置き敷きし、各床材相互を連結して広面積の床を構成するものであるが、床下地面には不規則な不陸が存し、該不陸を有する床下地面に各床材を置き敷きした場合、床材相互間を適切に連結し難くなる問題点の克服が必要である。即ち連結手段は床下地面の不陸を吸収しつつ、適切な連結が行えるものであることが課題となっている。
【０００８】
特許文献１，２に示す上記床材は方形の合成樹脂製座板の上面にタイルから成る表面材を層着した構造を有し、座板はタイルの層着によって可撓性が減殺されて上記不陸吸収作用が充分に得られず、目地割されたタイル間の目地部に割れを誘起して不陸を吸収したとしても、床材相互間の連結が適切に行い難くなる恐れを有し、不陸を吸収しつつ適切な連結を図る目的が達成し難くなる問題点を有している。
【０００９】
同様に、特許文献３に示すように、座板上面において成形硬化させたセメント混練材層に割れ誘発目地を設け、踏み圧によって同目地底部の弱接合部に割れを誘発し不陸を吸収する構造である場合にも、不陸を有する床下地面へ馴染み置き敷きしつつ、床材相互間を適切に連結する目的を有効に達成し難い問題点を有している。
【課題を解決するための手段】
【００１０】
本発明は合成樹脂製座板の上面において成形硬化させたセメント混練材等から成る表面材を層着した構造を有する床材を用いた床構造に係わり、該床材相互の連結構造部において床下地面の不陸を吸収しつつ床材相互の連結が適切に行えるようにしたものである。
【００１１】
要述すると、本発明に係る床材相互の連結構造は、隣接する一方の床材の座板辺縁部下面に配置された第一支持脚に第一連結リングが外嵌めされ、同様に他方の床材の座板辺縁部下面に配置された第二支持脚に第二連結リングが外嵌めされ、上記第一連結リングと第二連結リングが互いに連結された構造を有すると共に、上記第一、第二支持脚の下端部外面に係止爪を突設し、上記第一、第二連結リングの上端部内面に被係止爪を突設し、該係止爪と被係止爪とが上下方向の遊びを存して係合可能に配置された構造を有する。
【００１２】
好ましい例示として、上記第一連結リングは第一支持脚に上下方向の遊びと横方向の遊びを存して外嵌し、上記第二連結リングは第二支持脚に上下方向の遊びと横方向の遊びを存して外嵌めする。
【００１３】
上記座板辺縁部下面に支持脚を設ける例示として、座板辺縁部に外側方へ向け間隔を置いて突出した複数の連結片を設け、上記隣接する一方の床材の連結片下面に配置された第一支持脚に第一連結リングを外嵌めし、同様に他方の床材の連結片下面に配置された第二支持脚に第二連結リングを外嵌めする。
【００１４】
上記第一、第二連結リングを用いた好ましい例示として、上記隣接する一方の床材の座板辺縁部下面に隔置された一対の第一支持脚の個々に一対の第一連結リングを夫々外嵌めし、同様に他方の床材の座板辺縁部下面に隔置された一対の第二支持脚の個々に一対の第二連結リングを夫々外嵌めし、上記第一連結リング対の外側リング部分を第一アームで連結し、上記第二連結リング対の外側リング部分を第二アームで連結し、更に上記第一連結リング対を連結する第一アーム一端の連結リングと上記第二連結リング対を連結する第二アーム一端の連結リングとを内側リング部分で結合し、上記第一連結リング対を連結する第一アーム他端の連結リングと上記第二連結リング対を連結する第二アーム他端の連結リングとを内側リング部分で結合した構造にする。
【００１５】
上記第一、第二支持脚の下端部外面には係止爪が突設され、上記第一、第二連結リングの上端部内面には被係止爪が突設され、即ち上記係止爪と被係止爪とは支持脚への外嵌め時に上下方向に離間して配置され、該離間寸法の遊びを存して係合可能な構造にする。
【００１６】
即ち上記係止爪は被係止爪に対し上記遊びの範囲で上下動が許容され、従って上記第一、第二連結リングは上記遊びの範囲で上下動が許容され、遊びを解消する移動によって係止爪と被係止爪とが係合状態となる。
【発明の効果】
【００１７】
本発明によれば、多数の床材を床下地面に隣接して置き敷きしつつ相互に連結して床構造を形成する場合に、床下地面の不陸を床材相互の連結構造部において良好に吸収しつつ、床材相互を適切に連結することができる。
【００１８】
即ち床下地面に多数の床材を良順性を以って置き敷きしつつ、床材相互を適切に連結する目的が有効に達成できる。
【００１９】
よって不陸を有する床下地面に床材相互を連結しつつ置き敷きする作業が適切に実行できると共に、強風による床材の吹き飛び防止構造が有効に形成できる。
【発明を実施するための最良の形態】
【００２０】
以下本発明を実施するための最良の形態を図１乃至図１２に基づき説明する。
【００２１】
本発明において対象とする床材は略平板で且つ方形の一体成形構造を有する合成樹脂製座板１の上面に表面材２を層着した構造を有し、図７に示すように、連結具を用いて該床材相互を連結しつつ床下地面１７に多数置き敷きし床構造を施工する。該床構造は多数の床材と床材相互を連結する連結具３６によって構成される。
【００２２】
上記表面材２は代表例としてセメントと各種骨材を混練したセメント混練材等の各種自硬形成形材から成る。
【００２３】
図４乃至図６等に示すように、上記表面材２は合成樹脂製座板１の上面において成形硬化し、同上面に層着した構造のものであり、該表面材２を層着するに際し、上記座板１の上面から一体に且つ垂直に突出せる多数のアンカー３を硬化前の上記表面材２中に埋設して同表面材２と座板１とを結合した構造を有する。
【００２４】
図１乃至図３に示すように、上記座板１の上面から一体に突設した上記多数のアンカー３と、同座板１の下面から一体に突出せる多数の支持脚６を略均一な分布を以って配設し、床材を該支持脚６を以って床下地面１７に多点支持しつつ、座板１を該支持脚６によって床下地面１７に対して浮かし支持し、座板１と床下地面１７間に連続した空隙１８を形成する。上記支持脚６は短円柱形又は短楕円柱形又は角柱形等にする。
【００２５】
上記表面材２の成形方法と構造について説明すると、図１２Ａ，Ｂに示すように、硬化前表面材（例えば硬化前セメント混練材）２を表面材成形型１０内に充填して同表面材２を成形すると共に、表面材成形型１０の開放面（表面材２の下面に相当する開放面）において該座板１のアンカー３を硬化前表面材２内に埋設すると共に、同座板１の上面を硬化前表面材２の下面に密着し、よって上記座板１と同座板１の上面において成形硬化され層着された表面材２を有する上記床材を得る。床材の脱型前又は脱型後に自然乾燥又は熱風乾燥して上記硬化を促す。
【００２６】
上記表面材成形型１０は凹型（開放型）から成るゴム型又は合成樹脂フィルム型等を用いる。該型１０によって表面材２の外形（輪郭）と表面模様を成形すると共に、図４に例示するように、必要に応じ該表面材２の上面に目地溝１１を付形し、該目地溝１１によって表面材２を外観上、複数の区分に区画する。
【００２７】
上記目地溝１１は縦方向又は／及び横方向に配設する。又は目地溝１１を施さない全体が平盤な表面材２を成形する。又は分離溝によって隔絶された複数の表面材２を一枚の座板１上面において成形し層着する。
【００２８】
図６に示すように、上記支持脚６群は座板１の下面から下方へ突出され、その一部は座板辺縁部の下面から下方へ突出されている。該支持脚６は上記座板辺縁部に沿って等間隔に複数配置する。
【００２９】
上記座板１の全面には上下面を貫通し硬化前の表面材２を流入せしめる多数の結合窓８を配置し、アンカー３を硬化前表面材２内へ埋設するに当たり、該硬化前表面材２を該結合窓８内へ浸入せしめ、表面材２と座板１の一体結合を強化する。
【００３０】
上記硬化前表面材２は座板１の上面の略全面を覆うと共に、上記結合窓８の内周壁面を覆って座板下面を露出せしめ、該露出した座板下面から上記支持脚６が突出する。
【００３１】
座板１は座板１の辺縁部たる外枠部１′と、該外枠部１′の内域に配設された縦方向、横方向、斜め方向等の平板ビーム１３で上記結合窓８を画成する。
【００３２】
上記外枠部１′、ビーム１３、アンカー３、支持脚６を有する座板１は合成樹脂にて一体成形する。該合成樹脂としては温度変化による変形が少なく静電気帯電が少ないポリアセタールが適材である。
【００３３】
図７に示すように、上記方形の床材を支持脚６を以って床下地面１７に縦横に多数置き敷きしつつ連結具３６を用い連結して前記空隙１８を有する広面積の床構造を形成する。
【００３４】
連結具３６は上記各床材の四辺において隣接する各床材と互いに連結される。以下図７乃至図１０に基づいて上記連結具３６を用いた連結構造について説明する。
【００３５】
上記隣接する一方の床材の座板１の下面に配置された支持脚６群中、座板辺縁部下面に配置された第一支持脚６に上下方向の遊び２９を存して第一連結リング３０を外嵌めし、同様に他方の床材の座板辺縁部下面に配置された第二支持脚６に上下方向の遊び２９を存して第二連結リング３１を外嵌めし、上記第一連結リング３０と第二連結リング３１を互いに連結した構造にする。
【００３６】
具体例として、上記第一連結リング３０は上記第一支持脚６に対し上下方向の遊び２９に加え、横方向の遊び３２を存して外嵌めし、上記第二連結リング３１は上記第二支持脚６に対し上下方向の遊び２９に加え、横方向の遊び３２を存して外嵌めし、上下方向と横方向の移動を許容する。
【００３７】
上記上下方向の遊び２９の下限は、以下に述べる係止爪２３ａと被係止爪２２ａの遊間によって設定される。
【００３８】
即ち上記第一、第二支持脚６の外面に係止爪２３ａを突設し、上記第一、第二連結リング３０，３１の内面に被係止爪２２ａを突設し、上記係止爪２３ａと被係止爪２２ａとが上下方向の遊び２９を存して係合可能に配置する。
【００３９】
即ち上記係止爪２３ａが被係止爪２２ａを強制的に乗り越えて第一、第二支持脚６に第一、第二連結リング３０，３１が外嵌めされ、係止爪２３ａと被係止爪２２ａとは該外嵌め時に上下に遊間を存して配置され、該遊間によって上記上下方向の遊び２９の下限を設定する。又遊び２９の上限は、連結具３６の上面が座板下面に面当たりすることによって設定される。
【００４０】
上記第一、第二連結リング３０，３１は上記遊び２９の範囲で上下動が許容され、遊び２９を解消する下方移動によって係止爪２３ａと被係止爪２２ａとが係合状態となる。
【００４１】
上記座板１の辺縁部に支持脚６を設ける具体例として、図１乃至図３に示すように、座板辺縁部に外側方へ向け突出した複数の連結片２０を辺縁部長手方向に沿い間隔を置いて、好ましくは等間隔に配設し、上記隣接する一方の床材の連結片２０下面に配置された第一支持脚６に第一連結リング３０を外嵌めし、同様に他方の床材の連結片２０下面に配置された第二支持脚６に第二連結リング３１を外嵌めした構造にする。
【００４２】
本発明の第一、第二連結リング３０，３１を第一、第二支持脚６に外嵌めし連結を図る具体例として、上記隣接する一方の床材の座板辺縁部下面（連結片２０の下面）に隔置された一対の第一支持脚６の個々に一対の第一連結リング３０を夫々外嵌めし、同様に他方の床材の座板辺縁部下面（連結片２０の下面）に隔置された一対の第二支持脚６の個々に一対の第二連結リング３１を夫々外嵌めする。
【００４３】
そして上記第一連結リング３０対の外側リング部分を第一アーム３３で連結し、上記第二連結リング３１対の外側リング部分を第二アーム３４で連結し、更に上記第一連結リング３０対を連結する第一アーム３３一端の連結リング３０と上記第二連結リング３１対を連結する第二アーム３４一端の連結リング３１とを内側リング部分で結合し（一体成形により母材結合し）、上記第一連結リング３０対を連結する第一アーム３３他端の連結リング３０と上記第二連結リング３１対を連結する第二アーム３４他端の連結リング３１とを内側リング部分で結合し（一体成形により母材結合し）た構造にする。
【００４４】
従って上記連結具３６は離間して配した２個一対の第一連結リング３０対と、離間して配した２個一対の第二連結リング３１対とを有し、計４個の連結リング３０，３１を有する。
【００４５】
上記連結具３６の第一連結リング３０対の外側リング部分は第一アーム３３と一体に連結し（一体成形により母材結合し）、上記第二連結リング３１対の外側リング部分は第二アーム３４で連結し（一体成形により母材結合し）た構造を有する。
【００４６】
更に上記第一連結リング３０対を連結する第一アーム３３一端の連結リング３０と、上記第二連結リング３１対を連結する第二アーム３４一端の連結リング３１とは内側リング部分で結合３５し（一体成形により母材結合し）、上記第一連結リング３０対を連結する第一アーム３３他端の連結リング３０と上記第二連結リング３１対を連結する第二アーム３４他端の連結リング３１とは内側リング部分で結合３５し（一体成形により母材結合し）た構造を有する。
【００４７】
上記第一、第二連結リング３０，３１と第一、第二アーム３３，３４とは左右対称配置にし、上記第一、第二アーム３３，３４は互いに平行に配置し、その両端を第一、第二連結リング３０，３１対の筒部上端と夫々連結し、第一、第二連結リング３０，３１対の筒部下端は第一、第二アーム３３，３４から下方へ突出する。
【００４８】
上記第一、第二アーム３３，３４の上面と第一、第二連結リング３０，３１対の上面とは同一平面を形成し、該平面を座板下面と対向せしめる。
【００４９】
上記第一、第二連結リング３０，３１対と第一、第二アーム３３，３４と、結合部３５を備えた連結具３６は合成樹脂にて一体成形し上記構造を実現する。
【００５０】
上記第一、第二連結リング３０，３１は短円筒で形成し、同様に支持脚６（第一、第二支持脚を含む）を短円筒又は短円柱で形成する。又は上記第一、第二連結リング３０，３１は短角筒で形成し、同様に支持脚６（第一、第二支持脚を含む）を短角筒又は短角柱で形成する。
【００５１】
又図１０に示すように、上記支持脚６、従って第一、第二支持脚６には中央を通る割溝３７を設け、割柱又は割筒とする。該割溝３７によって、第一、第二連結リング３０，３１の被係止爪２２ａが支持脚６の係止爪２３ａを乗り越えて嵌合する時に、径方向に縮閉可能とし、上記嵌合を容易にする。
【００５２】
又は支持脚６は割溝を設けない短円柱又は短円筒で又は短角筒で形成し、支持脚６の母材弾力により被係止爪２２ａが係止爪２３ａを強制的に乗り越えて支持脚６にリング３０，３１を外嵌めする。
【００５３】
図１０に示すように、上記係止爪２３ａは支持脚６の少なくとも対向する外面に平行に突設し、又は支持脚６の周面に環状に突設し、他方被係止爪２２ａはリング３０，３１の対向する内面に平行に突設し、被係止爪２２ａは係止爪２３ａに係合した状態を保ちつつ、座板辺縁部と直交する方向に移動可能である。
【００５４】
即ち支持脚６の外径は小径にし、リング３０，３１の内径を大径にし、外嵌めした時に支持脚６の外周面とリング３０，３１の内周面間に環状遊間を形成し、該環状遊間にて前記横方向の遊び３２を可能とする。
【００５５】
即ちリング３０，３１の被係止爪２２ａは支持脚６の外面に殆ど当接状態となるように突出され、横方向への移動が制限されるが、床下地面１７の不陸に応じ、リング３０，３１は上記遊び３２の範囲で横方向（斜め方向を含む）に変位可能である。
【００５６】
上記床材は床下地面１７にできるだけ密集して置き敷きすることが求められる。上記図８乃至図１１に示す連結具３６は、第一連結リング３０対と第二連結リング３１対が内側リング部分で互いに母材結合した構造にすることにより、隣接する床材間の間隙を可及的に少なくし、密集した配置が可能となる。
【００５７】
上記連結具３６は４つのリング３０，３１を離間して方形配置にし、各リング３０，３１をアームにて連結する構造のものを用いることができる。又は２つのリングをアームにて連結した構造にし、一方を第一連結リング、他方を第二連結リングとすることができる。
【００５８】
上記座板１の表面において成形硬化する表面材２としては、砂、ガラス、木片、鉱物等の各種骨材をセメント又は合成樹脂をバインダーとして混練した材を適用する。
【００５９】
又は上記セメントや合成樹脂の他、鉱滓、焼却灰、石膏等、乾燥硬化されるものに各種骨材を配合した材を適用できる。又は製紙スラッジ等の各種スラッジとセメント又は合成樹脂との混練材を適用できる。
【００６０】
上記説明した表面材２の表飾手段として、同表面に各種模様を成形又は着色したり、シート状又は粒状の表飾材を接着したりすることができる。
【図面の簡単な説明】
【００６１】
【図１】座板の上面図。
【図２】図１におけるＡ−Ａ線断面図。
【図３】座板の下面図。
【図４】床材の平面図。
【図５】床材の断面図。
【図６】床材の下面図。
【図７】多数の床材を床下地面に隣接して置き敷きした状態を示す断面図。
【図８】連結具の上面図。
【図９】連結具による床材連結部の下面図。
【図１０】図９におけるＢ−Ｂ線断面図。
【図１１】図９におけるＣ−Ｃ線断面図。
【図１２】Ａ，Ｂは型を用いて床材を製造する方法を示す断面図。
【符号の説明】
【００６２】
１…座板、１′…外枠部、２…表面材、３…アンカー、６…支持脚、８…結合窓、１０…表面材成形型、１１…目地溝、１３…平板ビーム、１７…床下地面、１８…空隙、２０…連結片、２２ａ…被係止爪、２３ａ…係止爪、２９…上下方向の遊び、３０…第一連結リング、３１…第二連結リング、３２…横方向の遊び、３３…第一アーム、３４…第二アーム、３５…内側リング部分の結合部、３６…連結具、３７…割溝。
【図１】
0004527147.tif 000002
【図２】
0004527147.tif 000003
【図３】
0004527147.tif 000004
【図４】
0004527147.tif 000005
【図５】
0004527147.tif 000006
【図６】
0004527147.tif 000007
【図７】
0004527147.tif 000008
【図８】
0004527147.tif 000009
【図９】
0004527147.tif 000010
【図１０】
0004527147.tif 000011
【図１１】
0004527147.tif 000012
【図１２】
0004527147.tif 000013